(57)【要約】【課題】細幅床材を簡単かつ綺麗にワンタッチで敷設でき、細幅床材の長さ方向へのズレ動きを確実に規制できるようにした細幅床材の敷設金具を提供する。【解決手段】本発明は、透孔６をもつ平行する２つの接地板２、２の各内縁２′、２′から立ち上げた裾枠３、３の上縁中央域に、上縁４を楔状に連結した合掌部５を設ける一方、前記裾枠３、３の上縁両脇域にはそれぞれ２個の帯状片９が前記合掌部５に沿って立ち上げられ、各帯状片９の各上縁は外へフック状に折り返してなり、前記帯状片９のフック端９′を、前記合掌部５の外面より外へ食み出すように拡大させたことを特徴とし、細幅床材１０をワンタッチで敷設でき、隣接する細幅床材１０の溝１１内にて帯状片９のフック端９′を食い込ませて保持させ、その保持により細幅床材のズレ動きを規制できるように構成した。【選択図】図１
2017066685.tif 000002
【特許請求の範囲】
【請求項１】
透孔をもつ平行する２つの接地板の各内縁から立ち上げた裾枠の上縁中央域に、上縁を楔状に連結した合掌部を設ける一方、前記裾枠の上縁両脇域にはそれぞれ２個の帯状片が前記合掌部に沿って立ち上げられ、各帯状片の各上縁は外へフック状に折り返してなり、前記帯状片のフック端を、前記合掌部の外面より外へ食み出すように拡大させたことを特徴とする細幅床材の敷設金具。
【請求項２】
前記接地板の各外縁が、Ｌ状枠になり、該Ｌ状枠の上端に刺し突子を設けたことを特徴とする請求項１に記載の細幅床材の敷設金具。
【発明の詳細な説明】
【技術分野】
【０００１】
本発明は、ベランダその他に細幅床材を幅方向に並べてテラス、デッキ等を敷設するのに好適な細幅床材の敷設金具に関するものである。
【背景技術】
【０００２】
一般に、ベランダその他に細幅床材を並べてテラス、デッキ等を敷設する場合、敷設したい面に枠部材を平行に設置し、その枠材上に細幅床材を幅方向に並べてビス（あるいは釘）で止着（固定）していたが、細幅床材の上面にビスや釘が見えることから美観が損なわれていたし、ビスや釘の頭が浮き上がることがあり、つまずきや転倒の原因になっていた。
【０００３】
そこで、ビスや釘を床面に現わさない敷設構造として、特開２００２−１６１６３２号公報が開示されている。これは、図８の如く、角筒状の金属枠材８１の上面に長さ方向に沿って割溝８２を設け、該割溝８２を通した軸杆８３の上下部に上拡大板８４と下拡大板８４′を設け、該上拡大板８４を細幅床材８５の左右側面に設けた凹溝８６に係合させていた。したがって、床材８５は上面にビスや釘が見えない状態で敷設できた。
【特許文献１】特開２００２−１６１６３２号公報
【発明の開示】
【発明が解決しようとする課題】
【０００４】
しかしながら、前記床材８５はその側面に設けた凹溝８６を、角筒状の枠材８１の上面に設けた割溝８２に通した軸杆８３の上拡大板８４を嵌入するため敷設が困難であったばかりでなく、床材８５は長さ方向（矢印方向）に沿ってズレ動くことがあり、しかも、この動きを規制する手段がないため、人がその上に乗った瞬間あるいは歩いて体重移動した瞬間に床材８５がズレ動いて転倒する危険があった。また、床材８５は敷設するまでに幅方向に曲がってしまうことや上下方向に反ることもあり、敷設作業者には相当な熟練度が必要であった。
【０００５】
本発明は、上記問題を解消するためのもので、その目的とするところは、細幅床材をワンタッチで、また、熟練者でなくとも曲がりや反りを修正して簡易に敷設でき、しかも、細幅床材の長さ方向へのズレ動きを確実に規制できるようにした細幅床材の敷設金具を提供することにある。
【０００６】
上記目的を達成するため、本発明は、透孔をもつ平行する２つの接地板の各内縁から立ち上げた裾枠の上縁中央域に、上縁を楔状に連結した合掌部を設ける一方、前記裾枠の上縁両脇域にはそれぞれ２個の帯状片が前記合掌部に沿って立ち上げられ、各帯状片の各上縁は外へフック状に折り返してなり、前記帯状片のフック端を、前記合掌部の外面より外へはみ出すように拡大させたことを特徴とし、細幅床材をワンタッチで、また、熟練者でなくとも曲がりや反りを修正して簡易に敷設でき、隣接する細幅床材の溝内にて帯状片のフック端を食い込ませて保持させその保持により細幅床材のズレ動きを規制できるように構成した。
【０００７】
また、請求項２に記載の発明は、前記接地板の各外縁が、Ｌ状枠になり、該Ｌ状枠の上端に刺し突子を設けたことを特徴とし、細幅床材を基礎面からＬ状枠の高さ分だけ浮かして敷設できるとともに、刺し突子によりＬ状枠から細幅床材が滑り落ちることがないように構成した。
【発明の効果】
【０００８】
本発明によれば、基礎面上に配した本願敷設金具の間に細幅床材を嵌め込むだけのワンタッチ作業で、熟練者でなくとも簡単に敷設できる。また、細幅床材はその隣接する溝内にあって対向面にフック部の折り返し端を食い込ませて保持できるから、ビスも釘も使わない状態でしっかり固定できる。さらに、折り返し端が食い込んだ敷設後の細幅床材はその上に人が乗っても歩いても走ってもズレ動くことがなく極めて安心安全である。さらにまた、細幅床材は折り返し端の食い込みが、別に用意した薄板具（包丁状のもの）を差し込むことにより簡単に解除でき、修理又は交換が必要となった細幅床材のみを個別に簡易に取り出すことができるなど各種の優れた効果を奏するものである。
【０００９】
また、請求項２に記載の発明によれば、基礎面上に配した本願敷設金具を挟んで並べた細幅床材はＬ状枠の立ち上がり高さ分だけ基礎面から浮かして敷設できるから、一定の弾力をもって歩けるから歩き易い。また、Ｌ状枠には細幅床材に刺し突子が刺さるから滑り落ちてしまうことがないなど各種の優れた効果を奏するものである。
【発明を実施するための最良の形態】
【００１０】
次に、本発明の実施の態様を添付図面に基づいて説明する。図１は本願敷設金具の斜視図、図２はフック部の折り返し端の拡開量を合掌部より拡大させた状態を示す正面図、図３は細幅床材の敷設状態を示す平面図、図４は細幅床材の敷設状態を示す正面図、図５は本願敷設金具の加工途中の一例を示す平面図、図６はフック部の折り返し端の食い込み状態を示す拡大正面図、図７はフック部の折り返し端の食い込みを解除した状態を示す拡大正面図である。
【００１１】
本願敷設金具１は、図１の如く、平行する２つの接地板２、２の各内縁２′、２′から立ち上げた裾枠３、３の上縁中央域に、上縁４を連結した合掌部５を設けている。該合掌部５は前記接地板２、２及び裾枠３、３を含めて本願敷設金具１の骨格部分であり、必要な強度を保持している。
【００１２】
前記接地板２、２にはネジ用又は釘用の透孔６が設けられている。該透孔６に差し込んだネジ又は釘などの留め具７により本願敷設金具１を基礎面（板張面、コンクリート面、枠材などの各種設置面）８上に固定できるようになっている。前記留め具７は基礎面８の種類によって木ネジやコンクリートネジその他が選ばれることは勿論である。
【００１３】
前記裾枠３、３の両脇域にそれぞれ２個の帯状片９が前記合掌部５に沿って（同じ角度で）立ち上げられており、各帯状片（都合４個）９の各上縁は外へフック状に折り返えされている。該帯状片９からフック状に折り返された端部（以下、フック端という）９′は、前記合掌部５の各外面より、図２の如く、外方へ必要な角度だけ拡開させられている。
【００１４】
上記本願敷設金具１は、図３及び図４の如く、一定間隔で横（敷設しようとする細幅床材の横幅）及び縦（３０ｃｍ位）に前記基礎面８上に留め具７にて固定することにより配置される。しかして、本願敷設金具１、１間に、細幅床材１０を嵌入する。しかして、該細幅床材１０は、その溝１１内にあって対向面１０ａ、１０ｂがフック端９′の食い込みにより保持される。
【００１５】
前記フック端９′の「食い込み」とは、細幅床材１０の材質によって、フック端９′のバネ力により物理的に食い込む場合もあるが、フック端９′が細幅床材１０の側面１０ａ又は１０ｂに強く接触し、該細幅床材１０を上方へ向けて取り出そうとするときに充分抵抗になる程度でも良いことは勿論である。
【００１６】
前記本願敷設金具１、１の間へ細幅床材１０を嵌入させる時、前記帯状片９のフック端９′は前記細幅床材１０の側面１０ａ又は１０ｂにより下向きに押されるが、このときフック端９′は帯状片９とともに反り返って隣接する細幅床材１０の側面を背にして反発力が働き、図６の如く、細幅床材１０の側面１０ａ又は１０ｂに強く食い込んで、細幅床材１０を保持する。これにより細幅床材１０は上方へは簡単には取り出せなくなる。
【００１７】
前記細幅床材１０は、これに食い込んでいる帯状片９のフック端９′との間に、図７の如く、別に用意した薄板具（例えば、包丁状のもの）Ｕを差し込み、細幅床材１０へのフック端９′の食い込み力を解除できる。したがって、前記細幅床材１０は、矢印Ｙの如く、個別に簡単に取り出すことが可能となる。これは、1つの細幅床材１０が重い物の落下などの衝撃で穴や亀裂が入ったような場合にその１枚分だけを交換するときに、特に有効である。
【００１８】
前記接地板２、２の外縁２″、２″には、Ｌ状片１２が立ち上げられている。該Ｌ状片１２は、前記細幅床材１０を基礎面８から一定高さＨだけ浮かせて敷設できるようにしている。これは、細幅床材１０の弾力性を活かせるため歩き心地を良くすると同時に、雨水等が細幅床材１０上に浸水することを防ぐためでもある。このＬ状片１２の高さＨは任意に決定される。また、Ｌ状片１２は、前記接地板２、２を基礎面８上に固定するためのネジや釘の頭に触れずに細幅床材１０を敷設することができる点で有利である。
【００１９】
前記Ｌ状片１２の上端には刺し突子１３が設けられている。歩行者の歩行時に細幅床材１０が滑り落ちることがないようにしている。該刺し突子１３は、図示の場合には、Ｌ状片１２の長さ方向の両端部に各２個を設けているが、Ｌ状片１２の上端全域に等間隔（又は不等間隔）に設けるようにしてもよい。
【００２０】
前記本願敷設金具１は、図５の如く、バネ性を有する金属板（０．９〜１．２ｍｍ厚）を打ち抜き、縦長方形の加工品Ｋを作成する。該加工品Ｋは接地板２、２となるスペースＳ１と、裾枠３、３及び合掌部５となるスペースＳ２と、帯状片９となるスペースＳ３とを確保した後、この加工品Ｋの上下中央位置にある一点鎖線Ａを山折りし、二点鎖線Ｂ、Ｂ′及びＣ、Ｃ′を谷折りすることにより得られる。勿論、加工品Ｋの打ち抜きの段階で、スペースＳ１には透孔６と刺し突子１３を設けておくことが必要である。
【００２１】
次に、本願敷設金具１の作用を説明する。まず、本願敷設金具１を、基礎面８の上面に縦方向に一定間隔（３０ｃｍ間隔）に配置（接地板形を打抜いたスケールを用いることもある）し固定し、横方向に細幅床材幅に対応するように配置し固定する。しかる後、横方向に隣接する本願敷設金具１、１間に細幅床材１０を、水平を保ちながら上から下へと押し込むように順次嵌入する。
【００２２】
次に、細幅床材１０の押し込み嵌入により、本願敷設金具１の帯状片９の拡大されたフック端９′は、細幅床材１０の側面１０ａ、１０ｂに接触してバネ力に抗して下方に屈曲させられ、細幅床材１０が接地板２、２の外縁２″、２″のＬ状片１２の上縁に接して押し込みが完了するとフック端９′の反発力が働いて側面１０ａ（又は１０ｂ）に食い込む。
【００２３】
前記フック端９′の反発力は、細幅床材１０、１０の溝１１内において、図６の如く、帯状片９が反り返って側面１０ｂ又は１０ａを背にするから一層増強され、フック端９′の食い込み力が増すこととなる。
【００２４】
本願敷設金具１の帯状片９のフック端９′の側面への食い込みにより敷設された細幅床材１０は、その表面にはビスも釘も全く現れない。したがって、頭が浮き上がったビスや釘でつまずきや転倒の原因を作らない。また、フック端９′が側面に食い込んだ細幅床材１０は、上方に抜こうと思っても抜けないばかりでなく、長さ方向にズレ動くこともない。したがって、歩行者は敷設された細幅床材１０の上を安心安全にして歩行することができるものである。
【００２５】
前記細幅床材１０、１０・・・のうちの１つが雨水や風雪により劣化し、又は重い物の落下などの衝撃で穴や亀裂が入ったような場合において、修理や交換が必要となることがあった場合、その修理や交換のために個別に細幅床材１０を取り出すときは、図７の如く、フック端９′とこれが食い込んでいる細幅床材１０との間に、別に用意した薄板具Ｕを差し込んで食い込みを解除する。これにより必要な細幅床材のみを取り出すことができる。
【産業上の利用可能性】
【００２６】
本願敷設金具は、ベランダその他に細幅床材を幅方向に並べてテラス、デッキ等を敷設するときに使用できるもので、木造建築分野、鉄筋コンクリート建築分野、土木分野などにおいて、多いに利用可能性があるものである。
【図面の簡単な説明】
【００２７】
【図１】本願敷設金具の斜視図である。
【図２】フック部の折り返し端の拡開量を合掌部より拡大した状態を示す正面図である。
【図３】細幅床材の敷設状態を示す平面図である。
【図４】細幅床材の敷設状態を示す正面図である。
【図５】本願敷設金具の加工途中の一例を示す平面図である。
【図６】フック部の折り返し端の食い込み状態を示す拡大正面図である。
【図７】フック部の折り返し端の食い込みを解除した状態を示す拡大正面図である。
【図８】従来例を示す斜視図である。
【符号の説明】
【００２８】
１  本願敷設金具
２  接地板
２′  内縁
３  裾枠
４  上縁
５  合掌部
６  透孔
７  止め具
８  基礎面
９  帯状片
９′  フック端
１０  細幅床材
１０ａ、１０ｂ  側面
１１  溝
１２  Ｌ状片
１３  刺し突子
【図１】
2017066685.tif 000003
【図２】
2017066685.tif 000004
【図３】
2017066685.tif 000005
【図４】
2017066685.tif 000006
【図５】
2017066685.tif 000007
【図６】
2017066685.tif 000008
【図７】
2017066685.tif 000009
【図８】
2017066685.tif 000010